(57)【要約】【課題】正規のメーカ以外の第三者によるフイルム詰め替え作業を困難にするとともに、パーフォレーションから写真フイルムの破断する目切れをを防止したレンズ付きフイルムユニットを提供することを目的とするものである。【解決手段】レンズ付きフイルムユニットに組み込まれた写真フイルム３１の両側縁に１コマあたり８個となるようにパーフォレーション３７を一定ピッチで配列するとともに、パーフォレーション３７の形状を円形にし、その直径を３．０ｍｍにする。また、パーフォレーション３７に係合するスプロケット４３の歯の形状を、パーフォレーション３７の形状に略一致させる。これにより、第三者によるフイルム詰め替えを困難にするとともに、写真フイルム３１の目切れを防止する。【選択図】　　　　　　　　図２
2004061980.tif 000002
【特許請求の範囲】
【請求項１】
製造時に予めレンズ付きフイルムユニットに組み込まれ、フイルム給送方向に沿う少なくとも一方の側縁に、フイルム１コマ分あたり８個のパーフォレーションが一定ピッチで形成された写真フイルムにおいて、
前記パーフォレーションの形状が、円形、またはフイルム給送方向に直交する向きに縦長にした楕円形もしくは長円形であり、その直径または長径を略３．０ｍｍにしたことを特徴とするレンズ付きフイルムユニット用の写真フイルム。
【請求項２】
請求項１記載の写真フイルムが予め組み込まれ、そのパーフォレーションに係合する複数の歯を有するスプロケットがフイルム給送に従動して回転されるレンズ付きフイルムユニットにおいて、
前記スプロケットの歯の突出方向に直交する断面形状を、前記パーフォレーションの形状と略一致させたことを特徴とするレンズ付きフイルムユニット。
【請求項３】
前記歯の先端側外周面を先細のテーパ面にしたことを特徴とする請求項２記載のレンズ付きフイルムユニット。
【発明の詳細な説明】
【０００１】
【発明の属する技術分野】
本発明は写真フイルム及びレンズ付きフイルムユニットに関するもので、詳しくは不正なフイルム詰め替えを防ぎ、また低温環境下での使用時にも写真フイルムに目切れが出にくいようにした写真フイルム及びレンズ付きフイルムユニットに関するものである。
【０００２】
【従来の技術】
レンズ付きフイルムユニットは、その本体部に予め写真フイルム及びパトローネを組み込んで製品化される。使用後にはユニット本体ごと現像所に集められ、撮影済みのフイルムが巻き込まれたパトローネをユニット本体から取り出してフイルム現像やプリント処理が行われる。空になったユニット本体は製造メーカによって回収され、機能ユニットごとあるいは部品ごとに分解される。シャッタ装置やストロボ装置などの機能ユニットの中には再使用できるものもあるため、機能検査や修理を行って新規の製品にリユースしたり、さらには部品単位では材料ごとに分別して原材料としてのリサイクルを行うようにしている。
【０００３】
こうした中で、正規の製造メーカ以外の第三者が現像所から空になったユニット本体を集め、その中に新たに別の写真フイルム及びパトローネを組み込んで商品化した詰め替え品が少なからず出回っている。このような詰め替え品のほとんどはユニット本体を無条件にそのままリユースしたもので、正規の製品と比較して当然に価格も低いため、一般ユーザが使用する機会も少なくない。ところが、詰め替え品のほとんどは機能検査や動作の確認が適正に行われてはおらず、光漏れ事故、露光不良、巻き上げ不良などの様々なトラブルを引き起こしている。そして光漏れ事故や露光不良などは、現像済みのネガフイルムやプリントをユーザが手にしてからでないと判らないこともあり、詰め替え品が引き起こすトラブルはレンズ付きフイルムユニット全体の信頼性を損ねる要因にもなっている。
【０００４】
上記背景から、製造メーカでは不正規なフイルム詰め替えを防ぐために種々の対策を講じてきている。例えば、特開平５−３３３４７７号公報や特開平５−３３３４７８号公報記載のように、レンズ付きフイルムユニットに使用する写真フイルムについては、そのパーフォレーションのサイズやピッチを市販の写真フイルムとは異ならせておき、レンズ付きフイルムユニットにはこれらのパーフォレーションに適合したスプロケットを組み込んでおく手法が知られている。これによれば、市販の写真フイルムをそのまま詰め替えて使用することができなくなり、強行するには市販フイルムのパーフォレーションに適合し、かつレンズ付きフイルムユニットの構造にも適合する形態のスプロケットを用意して交換しなければならず、詰め替え作業を著しく困難なものにすることができる。
【０００５】
【発明が解決しようとする課題】
ところが、現像所では現像済みの写真フイルムからプリントを行うときに、写真フイルムに設けられたパーフォレーションをカウントしながらフイルム送りを制御している。１３５タイプの写真フイルムの場合、１コマあたりのフイルム長さがパーフォレーション８個分に標準化されているため、パーフォレーションのピッチを変えてしまうと現像所でのプリント処理にも変更を要し、現実的には対応が困難である。また、単にパーフォレーションのサイズを大きくするだけでは、パーフォレーション相互間やパーフォレーションの縁と写真フイルムの側縁との間隔が狭くなって、パーフォレーション周囲のフイルム強度が低下する。
【０００６】
レンズ付きフイルムユニットでは、フイルム給送従動してスプロケットを回転させ、その回転力を利用してシャッタチャージやフイルムカウンタ円板の歩進を行っており、さらに絞りの自動切り替えを行うものでは絞り板をリセット位置に戻す駆動力もスプロケットの回転から得るようにしているため、スプロケットの回転負担は少なくない。このため、フイルム給送によりスプロケットを回転させようとしたとき、スプロケットの歯が係合しているパーフォレーションの部分から写真フイルムが破断するいわゆる目切れが生じやすくなる。特に、低温環境下では写真フィルムが脆くなる傾向をもつので目切れもより出やすくなる。目切れが出るとスプロケットの回転が不連続になり、シャッタチャージなどのスプロケット以降の連動に支障をきたし、誤操作を引き起こす。
【０００７】
本発明は上記事情を考慮してなされたもので、正規の製造メーカ以外の第三者によるフイルム詰め替え作業を困難にするとともに、パーフォレーション部分から写真フイルムが破断するいわゆる目切れが生じにくいようにしたレンズ付きフイルムユニット用の写真フイルム及びレンズ付きフイルムユニットを提供することを目的とする。
【０００８】
【課題を解決するための手段】
本発明は上記目的を達成するために、レンズ付きフイルムユニットに組み込まれた写真フイルムについて、その少なくとも一方の側縁に１コマあたり８個となるようにパーフォレーションを一定ピッチで配列するとともに、パーフォレーションの形状を円形またはフイルム給送方向に直交する向きに縦長にした楕円形もしくは長円形とし、その直径または長径を略３．０ｍｍにしたものである。また、この写真フイルムを使用するレンズ付きフイルムユニットについては、パーフォレーションに係合するスプロケットの歯の形状を、その突出方向に直交する断面でパーフォレーションの形状に略合致させ、さらには前記歯の先端側外周面を先細のテーパ面にしたものである。
【０００９】
【発明の実施の形態】
図１は、本発明のレンズ付きフイルムユニットの外観図である。レンズ付きフイルムユニット２のユニット本体３の前面には、撮影レンズ５、ファインダー対物窓６などが、また、上面にはシャッタボタン８や枚数表示窓９が、さらに、背面側には巻き上げノブ１１がそれぞれ露呈して設けられている。
【００１０】
図２は、本発明のレンズ付きフイルムユニットの分解斜視図である。本発明のレンズ付きフイルムユニット２は前カバー１５と、本体基部１６と、写真フイルムパトローネ１７と、後カバー１８とからなる。本体基部１６は、パトローネ室２０と、フイルム室２１と、アパーチャー２２とが形成されている。パトローネ室２０は、アパーチャー２２を挟んだ一方側に設けられている。写真フイルムパトローネ１７は、パトローネ２７と、スプール２８と、写真フイルム３１とから形成され、パトローネ２７はパトローネ室２０に装填され、スプール２８には、巻き上げノブ１１の軸３２が係合する。巻き上げノブ１１は、弾性自在な逆止爪３３の係合によりフイルムの巻き上げ方向とは逆の回転が阻止されている。
【００１１】
フイルム室２１は、アパーチャー２２を挟んだ他方側に設けられ、パトローネ２７から引き出した未露光の写真フイルム３１がフイルムロール３４の形態で収納される。写真フイルムパトローネ１７は、本体基部１６の背面側から装填され、後カバー１８を取り付けることで遮光状態で収納される。この本体基部１６の前面には、シャッタ機構と、フイルム巻止め機構と、フイルムカウンタ機構などが組み込まれ、その前面に前カバー１５が被せられている。フイルム室２１とパトローネ室２０の底は、後カバー１８に設けたプルトップ式の蓋３５，３６によりそれぞれ遮蔽される。
【００１２】
図３は写真フイルムを示す図である。写真フイルム３１は、本体基部１６の背面と後カバー１８の前面との間に設けられたフイルム通路を通ってフイルム室２１からパトローネ室２０に向けて巻き上げられる。写真フイルム３１としては、フイルム幅方向の両端に、パーフォレーション３７を市販されている１３５タイプのフイルムと同様のピッチで配列したものが用いられる。また、アパーチャー２２を挟んだ上側及び下側を通るフイルム幅方向の端部にパーフォレーション３７を配列している。
【００１３】
パーフォレーション３７は、直径Ｄが３ｍｍの円形状をしている。パーフォレーション３７の中心は、写真フイルム３１の側縁からフイルム給送方向に垂直に３．３ｍｍ離れた長さ（Ｈ１）にあり、パーフォレーション３７の側縁側と写真フイルム３１の側縁までのフイルム給送方向に垂直に離れた１．８ｍｍ離れた長さ（Ｈ２）にある。このパーフォレーション３７は、市販の１３５タイプの写真フイルムのパーフォレーション（２．８ｍｍ×１．９８ｍｍ）よりもわずかに大きく、ピッチＰは、市販の１３５タイプの写真フイルム３１に設けたパーフォレーション３７の配列ピッチと同じ長さで４．７５ｍｍとなっている。
【００１４】
フイルム通路を構成する本体基部１６の背面は、側面湾曲などを補正するために、フイルム給送方向に沿って凸を背面に向けた円弧面となっている。このような背面３８には、アパーチャー２２を挟んだ上下に、フイルム給送方向に伸びた細幅のフイルムレール３９が形成されている。開口からはフイルム巻止め機構を構成するスプロケット４３の歯列の一部が露呈している。スプロケット４３は、パーフォレーション３７に係合し、巻き上げ操作によるフイルム移送に同期して回転する。フイルム巻止め機構は、スプロケット４３が１コマ分のフイルム移送に応じた回転に達するとスプロケット４３巻き上げノブ１１との回転をそれぞれロックする。このロックはシャッタ機構の作動完了に連動して解除される。
【００１５】
図４は本発明のレンズ付きフイルムユニットのスプロケットの外観図である。スプロケット４３は、外周に８個の歯４７が形成されており、フイルム巻き止め機構はスプロケット４３の１回転でフイルムの巻止めをなす。これにより、１コマ分のフイルム移送長は、ピッチ４．７５×８個の長さとなる。スプロケット４３の歯４７の根元側は円筒形４７ａで、先端側は円錐台形４７ｂをしていて先端側外周面は先細のテーパ面になっている。スプロケット４３の歯４７の突出方向に直交する断面形状は円筒形４７ａの円形で、パーフォレーション３７の形状と略一致していて、パーフォレーション３７と係合可能である。スプロケット４３の歯４７の根元側を円筒形４７ａにすることで、フイルム給送時に、スプロケット４３の歯４７からパーフォレーション３７との噛み合いが容易に外れることを防止している。
【００１６】
このように構成されたレンズ付きフイルムユニット２の作用を説明する。本発明のレンズ付きフイルムユニット２で撮影を行うには、巻き上げノブ１１をフイルム巻き上げ方向に回転して写真フイルム３１を巻き上げる。この操作により写真フイルム３１が移送される。このとき写真フイルム通路では、パーフォレーション３７がスプロケット４３の歯４７に噛み合い、スプロケット４３を回転させる。
【００１７】
このような状態で写真フイルム３１の移送がなされ、スプロケット４３が１回転することでフイルムの巻き止め機構が作動してスプロケット４３と巻き上げノブ１１との回転がロックされ、フイルム巻き上げが完了する。また、この間のスプロケット４３の回転を利用してシャッタ機構がシャッタチャージされる。これにより、最初の撮影コマがアパーチャー２２にセットされ、撮影準備が整う。
【００１８】
シャッタボタン８を押圧すると、これに連動してシャッタ機構が作動する。シャッタ機構の作動により撮影レンズ５を通った被写体光がシャッタ開口を通ってアパーチャー２２にセットされた写真フイルム３１に入射して露光が行われる。そして露光完了後に、フイルム巻き止め機構のロックが解除される。これにより、フイルム巻き上げができるようになる。巻き上げノブ１１を回転させ、スプロケット４３が１回転する分フイルムを巻き上げると、フイルム巻き上げが完了し、次回の撮影準備が整う。最後の撮影コマへの撮影が完了すると、フイルムカウンタ機構がフイルム巻き止め機構の作動を阻止する。これにより、その後のフイルム巻き上げ操作によって、フイルム巻き止めが行われることなく、全ての写真フイルム３１をパトローネ２７に収納することができる。
【００１９】
使用済みのレンズ付きフイルムユニット２は、現像所に提出される。現像所では、パトローネ室２０の蓋を開けて、撮影済みの写真フイルム３１を巻き取った写真フイルムパトローネ１７を取り出して、現像処理を行う。空のレンズ付きフイルムユニット２は、工場に回収されてリサイクルされる。
【００２０】
なお、ユーザーが使用済みのレンズ付きフイルムユニット２から写真フイルムパトローネ１７を取り出し、通常の１３５タイプのフイルムを再装填しようとしても、市販の１３５写真フイルムに使用するスプロケットの歯よりも本実施例のスプロケット４３の歯４７の方が大きいので、スプロケット４３の歯４７と市販されている１３５タイプの写真フイルムのパーフォレーションが噛み合わないため、巻き上げノブ１１を回転してフイルム送りを行ってもスプロケット４３は回動することがなく、シャッターチャージができない。
【００２１】
また、パーフォレーション３７の形状を円形にし、スプロケット４３の歯４７をパーフォレーション３７の形状に略一致した円形を備えた円筒形４７ａ及び円錐台形４７ｂで形成したことにより、フイルム給送時に、写真フイルム３１へ負荷がかかったとしても、パーフォレーション３７への負荷を分散することができ、写真フイルム３１のパーフォレーション部分から写真フイルム３１が破断するいわゆる目切れを防止することができる。
【００２２】
本発明ではパーフォレーションの数とピッチとを市販の写真フイルムと共通にしているので、パーフォレーションを用いて、写真フイルムの給送や枚数算出を行うラボ機器でも市販の写真フイルムと同様に現像処理を行うことができる。
【００２３】
上記実施例では、パーフォレーション３７の形状は円形であったが、他にも図５に示すような半円弧を直線で結んだ長円形もしくは楕円形をフイルム給送方向に直交する向きに縦長にしたパーフォレーションの形状でも本発明を適用することができる。本発明を適用したときの長円形もしくは楕円の長径は略３ｍｍである。たとえば、パーフォレーションの形状が楕円形の場合、スプロケットの歯の根元を楕円筒形で、先端を楕円錐形にするなど、パーフォレーションの形状に合わせて、スプロケットの歯の形状も略一致したものにすればよい。
【００２４】
写真フイルムの側縁にフイルム情報が記録されているＤＸコードなどを備えている写真フイルムに、本実施例のような形状をしたパーフォレーションを設けても、写真フイルムの側縁のＤＸコードが欠けることないので、通常の写真フイルムと同じようにＤＸコードを読み取ることができる。
【００２５】
【発明の効果】
以上のように、本発明のレンズ付きフイルムユニットによれば、写真フイルムのパーフォレーションの形状を円形、かつ市販されている写真フイルムの形状よりもわずかに大きくし、また、スプロケットの歯の形状を本発明のパーフォレーションの形状に略一致させることで、市販の写真フイルムのパーフォレーションがスプロケットの歯に噛み合わず、正規の製造メーカ以外の第三者によるフイルム詰め替え作業を困難にする。また、パーフォーレーションおよびスプロケットの歯の形状が円形なので、フイルム給送時の写真フイルムのパーフォレーションにかかる負荷を分散することで、写真フイルムの目切れを生じにくいようにすることができる。
【図面の簡単な説明】
【図１】本発明のレンズ付きフイルムユニットの外観斜視図である。
【図２】本発明のレンズ付きフイルムユニットを背面側からみた分解斜視図である。
【図３】写真フイルムを示す図である。
【図４】本発明を実施したレンズ付きフイルムユニットのスプロケットと写真フイルムのパーフォレーションとの係合状態を分解して示す斜視図である。
【図５】本発明を適用できるパーフォレーションを示す図である。
【符号の説明】
２　レンズ付きフイルムユニット
３　ユニット本体
５　撮影レンズ
３１　写真フイルム
３７　パーフォレーション
４３　スプロケット
４７　歯
４７ａ　円筒形
４７ｂ　円錐台形
【図１】
2004061980.tif 000003
【図２】
2004061980.tif 000004
【図３】
2004061980.tif 000005
【図４】
2004061980.tif 000006
【図５】
2004061980.tif 000007